(57)【特許請求の範囲】
【請求項１】
粘着面及び非粘着面を有しロール状に巻回された粘着テープを保持する保持部と、前記粘着テープを引出すために、前記保持部を回転可能に支持するテープカッター本体とを有するテープカッターに用いられるカット装置であって、
前記引出された粘着テープを前記非粘着面側から切断することが可能な刃を有し、前記テープカッター本体に装着されるベース部材と、
前記ベース部材に設けられ、前記引出し方向にほぼ直交する第１の軸部と、
前記第１の軸部を介して前記ベース部材に弾性的に装着され、前記刃により前記粘着テープが切断される時に、前記ベース部材に対する弾性力に抗して前記粘着テープの前記非粘着面に押圧される弾性板と、
前記弾性板に設けられ、前記引出し方向にほぼ直交する第２の軸部と、
前記第２の軸と反対側の端部と、前記端部に設けられたフランジ部とを有し、前記第２の軸部を介して前記弾性板に回動可能に装着され、前記切断後の前記弾性板の戻り力を利用して前記非粘着面と接しながら前記第２の軸部を中心に回動することで、前記刃に残された粘着テープの切断端を所定の位置まで折返し、前記フランジ部により前記折り返された前記粘着テープの切断端が押されるように作用する折返し板と、
前記粘着テープを折り返すために前記第２の軸部を中心に回動した前記粘着テープと、前記折返し板との間に設けられた弾性体であって、前記粘着テープが切断された後に、前記回動した折返し板が前記弾性体にぶつかり、前記弾性体の弾性力による反動を利用して前記折返し板を元の位置に戻す弾性体と
を具備することを特徴とするカット装置。
【請求項２】
請求項１に記載のカット装置において、
前記第１の軸部に設けられ、前記弾性力を発生させるためのねじりバネを更に具備することを特徴とするカット装置。
【請求項３】
請求項１に記載のカット装置において、
前記ベース部材と前記弾性板との間に設けられ、前記弾性力を発生させるためのバネを更に具備することを特徴とするカット装置。
【請求項４】
請求項１に記載のカット装置において、
前記弾性板及び前記折返し板のうち少なくとも一方に設けられ、前記折返し板に設けられ、前記粘着テープの折返し時に該粘着テープの滑りを抑制する抑制部材を更に具備することを特徴とするカット装置。
【請求項５】
請求項４に記載のカット装置において、
前記抑制部材は、前記折返される非粘着面を前記折返し板に粘着させる粘着シートであることを特徴とするカット装置。
【請求項６】
請求項４に記載のカット装置において、
前記抑制部材は、前記粘着テープを両側から挟み込む複数のピンであることを特徴とするカット装置。
【請求項７】
請求項４に記載のカット装置において、
前記抑制部材は、前記粘着テープに突き刺さるピンであることを特徴とするカット装置。
【請求項８】
請求項１に記載のカット装置において、
前記ベース部材を前記テープカッター本体に着脱させる着脱機構を更に具備することを特徴とするカット装置。
【請求項９】
粘着面及び非粘着面を有しロール状に巻回された粘着テープを保持する保持部と、
前記粘着テープを引出すために、前記保持部を回転可能に支持するテープカッター本体と、
前記引出された粘着テープを前記非粘着面側から切断することが可能な刃を有し、前記テープカッター本体に装着されるベース部材と、
前記ベース部材に設けられ、前記引出し方向にほぼ直交する第１の軸部と、
前記第１の軸部を介して前記ベース部材に弾性的に装着され、前記刃により前記粘着テープが切断される時に、前記ベース部材に対する弾性力に抗して前記粘着テープの前記非粘着面に押圧される弾性板と、
前記弾性板に設けられ、前記引出し方向にほぼ直交する第２の軸部と、
前記第２の軸と反対側の端部と、前記端部に設けられたフランジ部とを有し、前記第２の軸部を介して前記弾性板に回動可能に装着され、前記切断後の前記弾性板の戻り力を利用して前記非粘着面と接しながら前記第２の軸部を中心に回動することで、前記刃に残された粘着テープの切断端を所定の位置まで折返し、前記フランジ部により前記折り返された前記粘着テープの切断端が押されるように作用する折返し板と、
前記粘着テープを折り返すために前記第２の軸部を中心に回動した折返し板と、前記弾性板との間に設けられた弾性体であって、前記粘着テープが切断された後に、前記回動した折返し板が前記弾性体にぶつかり、前記弾性体の弾性力による反動を利用して前記折返し板を元の位置に戻す弾性体と
を具備することを特徴とするテープカッター。
【発明の詳細な説明】
【技術分野】
【０００１】
本発明は、セロファンテープ等のテープ粘着テープを切断することが可能なテープカッター及びこのテープカッターに用いられるカット装置に関する。
【背景技術】
【０００２】
従来のテープカッターは、例えばロール上に巻回されたセロファンテープ等の粘着テープを回転可能に支持する本体と、当該本体に突設された刃とからなり、ユーザは粘着テープを引き出して当該刃により切断し、紙等の対象物に貼付する。この場合、粘着テープの片面の粘着面全体が対象物に粘着するため、例えば、一時的に対象物を押さえるために貼付して後で剥がすような場合には非常に剥がしにくく、ユーザは爪でテープの端を起こす等の煩雑な作業が必要となる。そこで、一時的に使用する場合には、テープの端を手で予め折り返してつまみ用の非粘着部を形成しておき、後に剥がしやすくすることが慣用的に行なわれている。【０００３】
なお、テープカッターに関する特許文献としては、例えば以下のものが開示されている。
【特許文献１】特開平９−１０００６１号公報
【発明の開示】
【発明が解決しようとする課題】
【０００４】
しかしながら、上記非粘着部を予め手でその都度形成することは非常に煩雑であり、特に、多くのテープを貼付する必要がある場合には作業効率も悪くなる。【０００５】
以上のような事情に鑑み、本発明の目的は、対象物に貼付した粘着テープを後に容易に剥がすことが可能な非粘着部を確実かつ容易に形成することができるテープカッター及びカット装置を提供することにある。
【課題を解決するための手段】
【０００７】
本発明に係るカット装置は、粘着面及び非粘着面を有しロール状に巻回された粘着テープを保持する保持部と、前記粘着テープを引出すために、前記保持部を回転可能に支持するテープカッター本体とを有するテープカッターに用いられるカット装置であって、
前記引出された粘着テープを前記非粘着面側から切断することが可能な刃を有し、前記テープカッター本体に装着されるベース部材と、
前記ベース部材に設けられ、前記引出し方向にほぼ直交する第１の軸部と、
前記第１の軸部を介して前記ベース部材に弾性的に装着され、前記刃により前記粘着テープが切断される時に、前記ベース部材に対する弾性力に抗して前記粘着テープの前記非粘着面に押圧される弾性板と、
前記弾性板に設けられ、前記引出し方向にほぼ直交する第２の軸部と、
前記第２の軸と反対側の端部と、前記端部に設けられたフランジ部とを有し、前記第２の軸部を介して前記弾性板に回動可能に装着され、前記切断後の前記弾性板の戻り力を利用して前記非粘着面と接しながら前記第２の軸部を中心に回動することで、前記刃に残された粘着テープの切断端を所定の位置まで折返し、前記フランジ部により前記折り返された前記粘着テープの切断端が押されるように作用する折返し板と、
前記粘着テープを折り返すために前記第２の軸部を中心に回動した前記粘着テープと、前記折返し板との間に設けられた弾性体であって、前記粘着テープが切断された後に、前記回動した折返し板が前記弾性体にぶつかり、前記弾性体の弾性力による反動を利用して前記折返し板を元の位置に戻す弾性体と
を具備する。
ここで上記粘着テープとしては、セロファンテープ、布テープ、紙テープ等、様々な種類のものを用いることができる。また上記保持部は例えば円盤状又は多角形盤状のリールである。また上記所定の位置とは、例えば粘着テープの切断箇所から５ｍｍ〜１５ｍｍ程度、より好ましくは１０ｍｍ程度の位置であるが、当該範囲に限られるものではない。また折返し板としては、例えば蝶番（ヒンジ）構造を採用することができる。
本発明に係るテープカッターは、粘着面及び非粘着面を有しロール状に巻回された粘着テープを保持する保持部と、
前記粘着テープを引出すために、前記保持部を回転可能に支持するテープカッター本体と、
前記引出された粘着テープを前記非粘着面側から切断することが可能な刃を有し、前記テープカッター本体に装着されるベース部材と、
前記ベース部材に設けられ、前記引出し方向にほぼ直交する第１の軸部と、
前記第１の軸部を介して前記ベース部材に弾性的に装着され、前記刃により前記粘着テープが切断される時に、前記ベース部材に対する弾性力に抗して前記粘着テープの前記非粘着面に押圧される弾性板と、
前記弾性板に設けられ、前記引出し方向にほぼ直交する第２の軸部と、
前記第２の軸と反対側の端部と、前記端部に設けられたフランジ部とを有し、前記第２の軸部を介して前記弾性板に回動可能に装着され、前記切断後の前記弾性板の戻り力を利用して前記非粘着面と接しながら前記第２の軸部を中心に回動することで、前記刃に残された粘着テープの切断端を所定の位置まで折返し、前記フランジ部により前記折り返された前記粘着テープの切断端が押されるように作用する折返し板と、
前記粘着テープを折り返すために前記第２の軸部を中心に回動した折返し板と、前記弾性板との間に設けられた弾性体であって、前記粘着テープが切断された後に、前記回動した折返し板が前記弾性体にぶつかり、前記弾性体の弾性力による反動を利用して前記折返し板を元の位置に戻す弾性体と
を具備する。
【発明の効果】
【００２１】
以上のように、本発明によれば、対象物に貼付した粘着テープを後に容易に剥がすことが可能な非粘着部を確実かつ容易に形成することができる。
【発明を実施するための最良の形態】
【００２２】
以下、本発明の実施の形態を図面に基づき説明する。【００２３】
（第１実施形態）  
まず、本発明の第１の実施形態について説明する。図１及び図２は、本実施形態に係るテープカッターの外観を示す斜視図である。【００２４】
テープカッター本体１は、従来の一般的なテープカッターと同様のものを用いることができる。セロファンテープ２は、ロール上に巻回された円盤状又は正多角形盤状のリール３に保持される。テープカッター本体１の内部側面には溝状のリール支持部４が設けられている。当該リール支持部４の端部に、リール３の中心に設けられた軸３ａが嵌合することでリール３がテープカッター本体１に支持され、軸３ａを中心に回転可能となり、セロファンテープ２が引き出し可能となる。【００２５】
また、従来のテープカッターがユーザの視点から見て上面に非粘着部が露出するように保持されているのとは逆に、本実施形態におけるセロファンテープ２は、ユーザの視点から見て上面に粘着面２ｂが露出し、下面に非粘着面２ａが露出するように保持されている。すなわち、セロファンテープ２は、テープカッター本体１の上方ではなく下方から引き出されるように保持され、セロファンテープ２は、矢印Ｃの方向に回転しながら引き出される。【００２６】
テープカッター本体１のセロファンテープ２の引出し方向には、セロファンテープ２を切断するとともに切断されたセロファンテープ２の先端を折返すための折返し機構５が設けられている。折返し機構５は、セロファンテープ２を切断するための刃５ａ及びバネ付き蝶番５ｂを有する。バネ付き蝶番５ｂにおいては、折返し板５ｂ−１及び固定板５ｂ−２が、テープ２の引出し方向にほぼ直行する回動軸５ｂ−３に係合することで回動可能に接続されている。固定板５ｂ−２はテープカッター本体１に固定されており、折返し板５ｂ−１は回動軸５ｂ−３を中心に、セロファンテープ２の引出し方向（図１の矢印Ａ方向）及びその逆方向（図１の矢印Ｂ方向）に回動することで開閉可能となっている。また回動軸５ｂ−３にはねじりバネ５ｂ−４が係合しており、上記矢印Ｂ方向（すなわち、セロファンテープ２を折り返す方向）への回動を常時付勢している。また、折返し板５ｂ−１の表面には粘着シート５ｃが設けられている。粘着シート５ｃは、セロファンテープ２の折り返し時に当該セロファンテープ２を折返し板５ｂ−１に粘着させて、セロファンテープ２の滑りを抑制することにより、折り返しやすくする機能を有している。なお、セロファンテープ２の折り返し後は、セロファンテープ２は当該粘着シート５ｃから剥がされるため、粘着シート５ｃの粘性は、上記固定のために必要な最低限のもので構わない。
【００２７】
ユーザが、図１に示すようにセロファンテープ２を引き出して、上記ねじりバネ５ｂ−４の付勢力に抗して矢印Ａ方向に折返し板５ｂ−１を回動させて、展開した状態でセロファンテープ２をねじるように力を加えることでセロファンテープ２が切断される。そして、それと同時に、図２に示すように上記ねじりバネ５ｂ−４の付勢力により折返し板５ｂ−１が矢印Ｂ方向に回動することでセロファンテープ２が切断端から折り返される。【００２８】
以下、折返し機構５による当該セロファンテープ２の折り返し動作について詳細に説明する。図３は、当該折り返し動作を段階的に示した図である。同図においては、折返し機構５をテープカッター１００の側面側から示している。【００２９】
ユーザはまず、同図（Ａ）に示すように、折返し板５ｂ−１がねじりバネ５ｂ−４の付勢力により閉じた状態からセロファンテープ２を引き出す。ユーザは、テープ２を手に取ったまま、同図（Ｂ）に示すようにねじりバネ５ｂ−４の付勢力に抗して折返し板５ｂ−１を回動させる。なお、折返し板５ｂ−１の短手方向の長さは、ユーザが回動させやすいように固定板５ｂ−２の短手方向の長さよりも同図（Ａ）の長さＣ分だけ長く設定してある。【００３０】
続いて、同図（Ｃ）に示すように、折返し板５ｂ−１を、同図（Ａ）の状態から１８０度以上回動させる。そして、セロファンテープ２の非粘着面２ａを折返し板５ｂ−１の粘着シート５ｃに粘着させた状態で、切断しやすい位置で切断する。そうすると、当該切断と同時に、ねじりバネ５ｂ−４の付勢力により折返し板５ｂ−１（粘着シート５ｃ）がセロファンテープ２の非粘着面２ａと接しながら上記図１及び図２の矢印Ｂ方向へ回動する。これにより、図３（Ｄ）に示すように、セロファンテープ２が切断箇所から折り返され、非粘着部２ｃが形成される。ユーザは、次にセロファンテープ２を切断する場合には、折返し板５ｂ−１と固定板５ｂ−２とに挟まれた状態（同図（Ｄ）の状態）のセロファンテープ２を、折返し板５ｂ−１を回動させながら引き出し、後は上記と同様の動作を行なう。なお、セロファンテープ２の折り返し幅（非粘着部２ｃの上記引出し方向の長さ）は上記折返し板５ｂ−１の短手方向の長さとほぼ同一となる。したがって、折返し板５ｂ−１の短手方向の長さを変更することにより、上記折り返し幅も調整することが可能である。本実施形態においては、折り返し幅、すなわち折返し板５ｂ−１の短手方向の長さは１ｃｍ程度である。【００３１】
以上の動作により、非粘着部２ｃを予め形成しておくことで、セロファンテープ２を対象物に貼付した場合でも、後に上記非粘着部２ｃを摘んで容易に剥がすことができる。【００３２】
なお、上述したように、本実施形態においてはセロファンテープ２の粘着面２ｂがユーザから見て上面に露出しているため、長時間放置したような場合には、ほこり等が付着して粘着面２ｂの粘着力が低下してしまうようなことが想定される。そこで、例えば図４に示すような、テープカッター本体１の折返し機構５近辺から被せることが可能なカバー部材６を装着して、テープカッター１００の不使用時には当該カバー部材６により上記粘着面２ｂを保護するようにしてもよい。【００３３】
（第２実施形態）  
次に、本発明の第２の実施形態について説明する。【００３４】
上記第１実施形態の折返し機構５においては、バネ付き蝶番５ｂの有するねじりバネ５ｂ−４の付勢力によりセロファンテープ２の折り返し動作を実現していたが、本実施形態においては、当該折り返し動作を電動モータにより行なうこととしている。なお、本実施形態において上記第１実施形態と同様の構成となる箇所については同一の符号を付し、説明を簡略化又は省略する。【００３５】
図５は、本実施形態におけるテープカッターの折返し機構１５の構成を示す図である。本実施形態において、折返し機構１５に蝶番構造を用いることに上記第１実施形態と変わりはないが、同図に示すように、折返し板５ｂ−１を回動させる力として、上記ねじりバネ５ｂ−４の付勢力を利用する代わりに、電動モータ７の駆動力を利用し、当該電動モータ７の駆動をスイッチ８で制御している。【００３６】
スイッチ８がＯＮになった場合には、バッテリー１０からの直流電流が変換機９によって交流電流に変換され、当該交流電流が電動モータ７に導通し、電動モータ７が駆動する。電動モータ７は、一方でギア１１を介して折返し機構１５の回動軸５ｂ−３と接続されている。本実施形態においては折返し板５ｂ−１と回動軸５ｂ−３とは一体的に形成されており、電動モータ７が駆動（回転）することで、回動軸５ｂ−３及び折返し板５ｂ−１が上記引出し方向の逆方向に回動することが可能となっている。【００３７】
上記スイッチ８は、例えばテープカッター本体１の側面の、上記回動軸５ｂ−３の近傍であって、折返し板５ｂ−１のストロークエンドに設けられる。ユーザによりセロファンテープ２が引き出されて折返し板５ｂ−１が引出し方向に回動し、セロファンテープ２が刃５ａに接触した状態で、セロファンテープ２を切断できるような角度（例えば、固定板５ｂ−２と折返し板５ｂ−１とが成す角度が２００度程度）まで達した場合に、ユーザから刃５ａに加えられる力により、折返し板５ｂ−１が当該スイッチ８に接触して当該スイッチ８がＯＮになるようになっている。すなわち、ユーザがセロファンテープ２を切断すると同時に上記スイッチ８がＯＮになり、電動モータ７の駆動によりセロファンテープ２が折り返されるような構造となっている。なお、スイッチ８は、ユーザが手動でＯＮ／ＯＦＦを切り替えるような態様であっても構わない。【００３８】
なお、電動モータ７の駆動により折返し板５ｂ−１が引出し方向の逆方向に回動して、セロファンテープ２を折り返した後、ユーザが次にセロファンテープ２を切断する場合には、ユーザがセロファンテープ２を引き出しながら手動で折返し板５ｂ−１を引出し方向に回動させるようにしてもよいし、また当該引出し方向の回動のためのスイッチを設けて、上記電動モータ７の駆動（上記折り返しのための駆動とは逆回転の駆動）により引出し方向へ回動させても構わない。【００３９】
以上の構成及び動作により、本実施形態においては、電動モータ７の駆動により折返し板５ｂ−１を回動させて切断後のセロファンテープ２を折り返して、非粘着部２ｃを形成することができる。これにより、上記第１実施形態の場合と同様、対象物にセロファンテープ２を貼付しても、上記非粘着部２ｃを摘む等して、後に容易に剥がすことが可能となる。【００４０】
なお、本発明は、上述の実施形態にのみ限定されるものではなく、本発明の要旨を逸脱しない範囲内において種々変更を加え得ることは勿論である。【００４１】
例えば、上述の２つの実施形態におけるテープカッター１００に、もう一本のセロファンテープを保持可能な従来の一般的なテープカッターの構造も並べて設けて、非粘着部２ｃの形成用と、非粘着部２ｃを形成しない一般用との両用としてもよい。これにより、例えば、半永久的に剥がす必要のない場合等には上記一般用を用いて、後に剥がす必要のある場合には非粘着部２ｃ形成用を用いる等、用途に応じて使い分けることができ、利便性が向上する。【００４２】
上述の実施形態においては、粘着テープとしてセロファンテープ２を用いていたが、粘着テープの種類はこれに限られず、例えば布製の粘着テープや紙製の粘着テープ（いわゆるクラフトテープ）等の切断用に本発明を適用することも勿論可能である。【００４３】
第１実施形態に係るテープカッター１００の折返し機構５が、テープカッター本体１に着脱自在に構成されていてもよい。この場合、着脱機構としては、後述の図８に示すネジ止め等が挙げられる。【００４４】
上述の実施形態においては、折返し板５ｂ−１に粘着シート５ｃを設けて、折り返し時のセロファンテープ２の滑りを抑制していたが、例えば折返し板５ｂ−１にピンを突設して、当該ピンによりセロファンテープ２の滑りを抑制するようにしてもよい。【００４５】
ピンによるテープ２の滑り抑制方法は、色々考えられる。図６は、その一実施の形態を示す斜視図である。図６に示すように、例えば、ピン５ｄが、セロファンテープ２の幅方向（テープ２の引出し方向にほぼ直行する軸方向）の両側にそれぞれ１本ずつ（合計２本）、テープ２を挟み込むように突設していてもよい。これにより、テープ２の幅方向での滑りやずれを抑制することができる。この場合、テープ２の両側に複数ずつ突設されていてもよい。また、折返し板５ｂ−１が折り返されたときに、各ピン５ｄが没する穴５ｆが固定板５ｂ−２に形成されていれば、各ピン５ｄが邪魔になることなく折返し板５ｂ−１が折り返される。なお、図６において、ねじりバネの図は省略している。次の図７も同様にねじりバネを省略している。【００４６】
図７は、ピンによるテープ２の滑り抑制方法の別の実施形態を示す斜視図である。例えば１本のピン５ｅが、テープ２を粘着面２ａ側から突き刺してテープ２に孔をあけることで、テープ２の動きが抑制される。この場合、ピン５ｅは複数あってもよい。また、折返し板５ｂ−１が折り返されたときに、ピン５ｅが没する穴５ｇも固定板５ｂ−２に形成されている。【００４７】
あるいは、図示しないが、ピンの代わりに、テープ２の幅またはそれより多少大きい幅を有する溝等が折返し板５ｂ−１に形成されていてもよい。また、この図示しない溝、図６に示す形態及び図７に示す形態のうち、少なくとも２つを組み合わせた形態も考えられる。【００４８】
（第３実施形態）  
図８は、本発明のさらに別の実施形態に係るテープカッターの一部を示す斜視図である。図９は、図８に示すテープカッターの側面図である。【００４９】
このテープカッター２００には、テープカッター本体１に、上記各実施形態と異なるカット装置５０が装着されている。テープカッター本体１は、図１等に示すものと同様の構成を有しており、リール部分等の図示を省略している。カット装置５０は、テープカッター本体１に装着される部分となるベース部材２１を備えている。ベース部材２１は、例えば２つの板体２１ａ及び２１ｂが結合して構成されている。図９に示すように、板体２１ａは、ほぼ垂直に立った板体２１ｂに対して斜めになるように形成されている。ネジ２６を備えた固定具２５により、板体２１ｂが本体１との間で挟み込まれることで、ベース部材２１が本体１に対して固定されている。固定具２５は、図８において上から見ると、例えばカッコ形状を有している。ネジ２６は、図８及び図９において見えない反対側の位置にも配置され、例えば全部で２本備えられている。このような固定具２５により、カット装置５０がテープカッター本体１に着脱可能となる。したがって、一般的なテープカッターにカット装置５０が取り付け可能となり、汎用性及び利便性が向上する。【００５０】
このベース部材２１には、軸部２３を介して弾性板２２が連結されている。ベース部材２１と弾性板２２との間には、バネ２７（図９参照）が設けられており、これにより、弾性板２２はベース部材２１に対して弾性力を持つように構成されている。バネ２７の代わりに軸部２３にねじりバネが取り付けられていてもよい。弾性板２２がベース部材２１の板体２１ｂに対してほぼ直角になるようにするために、上記したように板体２１ａは、板体２１ｂに対して斜めに設けられている。しかし、このような構成に限られず、板体２１ａ及び２１ｂがほぼ直角で、板体２１ｂと弾性板２２との間の角度が鈍角となるような構成であってもよい。【００５１】
ベース部材２１の端部には、テープ２を切断するための刃２４が取り付けられている。刃２４は、例えば板体２１ａに対してほぼ直角になるように取り付けられているが、鈍角であってもよいし、やや鋭角であってもよい。また、ベース部材２１の板体２１ａの上面には、テープカッター２００の使用時にテープ２に突き刺さってテープ２の動きや滑りを抑制するピン３０が設けられている。ピン３０は、弾性板２２に設けられた穴２２ａに上部に突き出るように立っている。テープ２の滑り抑制部材として、ピン３０に加えて、あるいは、ピン３０に代えて、軸部２３等に粘着シートが貼付されていてもよい。もしくは、刃のような部材であってもよい。【００５２】
弾性板２２には、軸部２９を介して折返し板２８が連結されている。折返し板２８は、軸部２９を中心に、弾性板２２の上で回動可能になっている。折返し板２８の、軸部２９とは反対側の端部にはフランジ部２８ａが形成されている。このフランジ部２８ａが形成さることにより、折返し板２８が回動したときに、テープ２を折り返して粘着面２ｂ同士を確実に貼り合わせることができる。軸部２９には、ねじりバネ等のバネ力を発生させる部材は設けられていない。つまり、折返し板２８は、弾性板２２に対して弾性力は有していない。
【００５３】
このように構成されたテープカッター２００の動作を説明する。図１０は、その動作を順に示す図である。【００５４】
図１０（Ａ）に示すように、軸部２３、弾性板２２、軸部２９及び折返し板２８のそれぞれの上面をテープ２の非粘着面２ａ側が接するように、ユーザによりテープ２が引き出される。ユーザによりテープ２が引き出されると、図１０（Ｂ）に示すように、ユーザはテープ２を刃２４に接触させようとするため、テープ２を下方向に移動させる。つまり、ユーザは、テープ２を持ちながら、バネ２７の付勢力に抗してテープ２で弾性板２２及び折返し板２８を押圧する。そうすると、ピン３０がテープ２の非粘着面２ａ側からテープ２に突き刺さりテープ２の滑りを抑制する。ユーザがテープ２を刃２４により切断すると、図１０（Ｃ）に示すように、バネ２７の戻り力により、弾性板２２が軸部２３を中心に回動して元の位置（図１０（Ａ）に示す位置）に戻る。図１０（Ｄ）に示すように、弾性板２２が元の位置に戻るとき、折返し板２８も共に移動し、弾性板２２が元の位置に達してバネ２７の力により停止する。一方、折返し板２８は、そのまま慣性により、あるいは、弾性板２２の運動エネルギーが折返し板２８に伝達されて軸部２９を中心に回動し、テープ２の粘着面２ｂ同士が貼り合わされる。これにより、非粘着部を形成することができる。
【００５５】
このように、本実施の形態に係るカット装置５０は、ユーザにより粘着テープが引き出されたときに蓄えられた弾性板２２の戻り力を利用して、折返し板２８がテープ２を折り返す。これにより、テープ２に非粘着部を確実かつ容易に形成することができる。
【００５６】
図１１は、図８に示したカット装置５０の変形例を示す側面図である。このカット装置６０は、上記カット装置５０の弾性板２２に、弾性体として戻しバネ３１が取り付けられている。この戻しバネ３１は、例えば図１０（Ｄ）で示した状態の後、折返し板２８を自動で元の位置に戻すためのバネである。戻しバネ３１は、テープ２の幅方向で両側又は片側に配置されていればよい。【００５７】
例えば図１０（Ｄ）の状態の後、図１２（Ａ）に示すように、折り返し板２８で押さえつけられたバネ３１の戻り力で、図１２（Ｂ）に示すように折返し板２８が軸部２９を中心に回動して元の位置に戻る。図１２（Ａ）では、図を分かりやすくするためにテープ２の図示を省略している。このような構成により、ユーザは、次回にテープカッターを使用するときに、図１０（Ｄ）の状態から、折返し板２８を手動で元の位置に戻す必要がなくなり便利である。なお、戻しバネ３１は、弾性板２２に取り付けられる構成を示したが、折返し板２２に取り付けられている構成であってもよい。【００５８】
図１３は、図１１に示した戻しバネの変形例に係るカット装置を示す側面図である。このカット装置７０が備える戻しバネ３３は、例えば板バネ、またはワイヤー状のバネでなる。この戻しバネ３３は、弾性板２２の、テープ２の幅方向の両側又は片側に取り付けられている。戻しバネ３３の可動部３３ａに、回動してきた折返し板２８がぶつかるように構成されている。このような構成によっても、図１１に示したカット装置６０と同様の効果が得られる。なお、戻しバネ３３は、折返し板２８に取り付けられていてもよい。
【図面の簡単な説明】
【００５９】
【図１】第１実施形態においてセロファンテープが切断される際のテープカッターの外観を示す斜視図である。
【図２】第１実施形態においてセロファンテープが折り返される際のテープカッターの外観を示す斜視図である。
【図３】セロファンテープの折り返し動作を段階的に示した図である。
【図４】カバー部材を装着した場合のテープカッターの外観を示す斜視図である。
【図５】第２実施形態におけるテープカッターの折返し機構の構成を示す図である。
【図６】ピンによるテープの滑り抑制方法の一実施形態を示す斜視図である。
【図７】ピンによるテープの滑り抑制方法の別の実施形態を示す斜視図である。
【図８】本発明のさらに別の実施形態に係るテープカッターの一部を示す斜視図である。
【図９】図８に示すテープカッターの側面図である。
【図１０】図８に示すテープカッターの動作を順に示す図である。
【図１１】図８に示すカット装置の変形例を示す側面図である。
【図１２】図１１に示すカット装置の動作を順に示す図である。
【図１３】図１１に示した戻しバネの変形例に係るカット装置を示す側面図である。
【符号の説明】
【００６０】
１…テープカッター本体
２…セロファンテープ
２ｂ…粘着部
２ａ…非粘着面
２ｂ…粘着面
２ｃ…非粘着部
３…リール
４…リール支持部
５、１１…折返し機構
５ａ…刃
５ｂ−１…折返し板
５ｂ−２…固定板
５ｂ−３…回動軸
５ｂ−４…ねじりバネ
５ｃ…粘着シート
６…カバー部材
７…電動モータ
８…スイッチ
９…変換機
１０…バッテリー
１１…ギア
１５…折返し機構
２１…ベース部材
２２…弾性板
２３…軸部（第１の軸部）
２４…刃
２５…固定具
２６…ネジ
２７…バネ
２８…板
２９…軸部（第２の軸部）
３０…ピン
３１、３３…戻しバネ（弾性体）
５０、６０、７０…カット装置
１００、２００…テープカッター
【図１】
0004317891.tif 000002
【図２】
0004317891.tif 000003
【図３】
0004317891.tif 000004
【図４】
0004317891.tif 000005
【図５】
0004317891.tif 000006
【図６】
0004317891.tif 000007
【図７】
0004317891.tif 000008
【図８】
0004317891.tif 000009
【図９】
0004317891.tif 000010
【図１０】
0004317891.tif 000011
【図１１】
0004317891.tif 000012
【図１２】
0004317891.tif 000013
【図１３】
0004317891.tif 000014